(57)【要約】      （修正有）【課題】清浄装置の薬剤容器および浮遊塵埃ろ過フィルターの交換メンテナンスが容易にできる装置構造にして、ＤＣファンモータの吸気、排気機能を妨げずに車内空間の除菌、抗菌、防虫、消臭分解を効率的に行い、夜間においては清浄装置をイルミネーションランプとしての意匠性を併せ持つ、小型軽量で取付けが容易な車両用健康空気清浄装置の提供。【解決手段】清浄装置を本体ケースで覆わないため薬剤容器および防塵ネットが視認でき、薬剤の交換および防塵用ネットの清掃も容易に実施できる。またＤＣファンモータの吸気、排気の減衰も抑える構造なので、車内空間にフィトンチッド揮発成分を含んだ気体を効率的に拡散させ除菌、抗菌、防虫、消臭分解が行え、またＬＥＤ発光装置を備えたＤＣファンモータ装置を用いれば、清浄装置がイルミネーションランプとしての活用ができる。動力電源はシガーライタから直接得られるので、車室の形状にかかわらず使用者が配線設置作業を容易に実施できる。【選択図】図１
0003120431.tif 000002
【実用新案登録請求の範囲】
【請求項１】
本体ケースを持たずに排気吹出し板、防護用ネット、ＤＣファンモータ装置、防塵用ネットを通しボルトで薬剤容器固定台にビス止め組立し清浄装置本体を形成するため、薬剤容器および防塵ネットの視認が可能で薬剤容器の交換および防塵用ネットの清掃作業が容易な構造を特徴とする車両用健康空気清浄装置。
【請求項２】
前記ＤＣファンモータ装置の下部にフィトンチッド等薬剤容器を備え、ＤＣファンモータがフィトンチッド等の揮発成分を上記薬剤容器より強制吸気して、浮遊塵埃を含んだ気体を防塵ネットでろ過した後、前記排気吹出し板より排気の減衰を抑えて車内空間に除菌、抗菌、防虫、消臭分解成分を含んだ気体を効率的に排気拡散させる請求項１記載の車両用健康空気清浄装置。
【請求項３】
前記ＤＣファンモータ装置をＬＥＤ発光装置付ＤＣファンモータ装置に装着変更することで、夜間の車内イルミネーションランプとしての活用ができ意匠性を向上させることを特徴とする請求項１記載の車両用健康空気清浄装置。
【請求項４】
本清浄装置の動力電源は電圧変換装置を用いずシガーライタより直接得ることが可能になり、車室の形状にかかわらず配線コードを延長するだけで、使用者が容易に上記清浄装置の移動設置ができることを特徴とする請求項１記載の車両用健康空気清浄装置。
【考案の詳細な説明】
【技術分野】
【０００１】  この考案は、清浄装置を本体ケースで覆わない構造にすることで薬剤容器および防塵ネットの視認ができ薬剤交換および清掃作業のメンテナンスを容易にするとともに、ＤＣファンモータの吸気及び排気機能を利用して浮遊塵埃を防塵ネットでろ過した後、フィトンチッド等の揮発成分を含んだ微香性の気体を強制吸気、排気拡散させながら車内空間を除菌、抗菌、防虫、消臭分解して健康で快適な環境にすることができ、ＬＥＤ発光装置付ＤＣファンモータ装置を使用することで夜間の車内イルミネーションランプとしての意匠性も向上させる、配線設置作業が簡単なシガーライタを動力電源とする小型軽量車両用空気清浄装置に関するものである。
【背景技術】
【０００２】  従来の車両用空気清浄装置では一般的に清浄装置を本体ケース内に格納するため、消耗品である芳香剤および浮遊塵埃をろ過するフィルターの視認が難しく、交換清掃作業を実施するには本体ケースを取り外さなければならないため容易ではなかった。汚れた気体の吸気に対しては本体ケースの一方向からしか吸気がされず、排気についても防塵ろ過フィルターを通過させた後に気体の排出を行なうので吸気、排気効率の低下をまねき、車内全体を清浄化するには難しい面もあった。【０００３】  また、消臭方法も芳香剤によるマスキングによるものが主で芳香剤の強い臭気が車内に充満してしまいそれを嫌がる乗員も存在した。また車内空間を除菌、抗菌、防虫、消臭分解して健康的な環境をつくるものではなかった。【０００４】  清浄装置の設置場所も限られ車室の形状によっては設置ができない場合もあり、車両購入後の取付けと配線が使用者自身では難しく専門の業者を必要とするため設置コストの負担増が発生し安価なものではなかった。
【特許文献】特開２００１−３０１４５２
【考案の開示】
【考案が解決しようとする課題】
【０００５】  本考案は、清浄装置の薬剤容器および浮遊塵埃ろ過フィルターの交換メンテナンスが容易にできる装置構造にして、ＤＣファンモータの吸気、排気機能を妨げずに車内空間の除菌、抗菌、防虫、消臭分解を効率的に行い、省エネＬＥＤ発光装置を備えたＤＣファンモータ装置を使用することで、夜間においては清浄装置をイルミネーションランプとしての意匠性を併せ持つ、小型軽量で取付けが容易な車両用健康空気清浄装置の提供を課題とする。
【課題を解決するための手段】
【０００６】  以上の課題を解決するために、第一考案は、清浄装置を本体ケースで覆わず、排気吹出し板、防護ネット、ＤＣファンモータ装置、防塵用ネットを通しボルトで薬剤容器固定台にビス止め組立するため薬剤容器、防塵ネットの視認が可能になることで薬剤容器内部の薬量がわかり、また防塵ネットの汚れも確認でき本体ケースを取り外すことなく直接薬剤容器の交換、清掃作業が容易に実施できる構造にした。【０００７】  第二考案はＤＣファンモータ装置の直下に浮遊塵埃を含んだ気体を吸気してろ過する防塵ネットを配設し下部に着脱自在のフィトンチッド等の薬剤容器と薬剤容器固定台を配設するため、ろ過後の揮発性フィトンチッド成分を含んだ気体を、ＤＣファンモータ直上の排気吹出し板より効率的に排気拡散させることで車内空間全体を除菌、抗菌、防虫、消臭分解することできる。【０００８】  第三考案は、ＬＥＤ発光装置を備えたＤＣファンモータ装置を使用することで、夜間の車内イルミネーションランプとしての活用ができ清浄装置の意匠性を向上させる効果が得られる。【０００９】  第四考案によれば、ＤＣファンモータ装置を使用することで電圧変換装置を用いず動力電源が直接シガーライタより得られ、清浄装置の配線設置作業が容易にでき、車室の形状にかかわらず設置場所の選択ができることを可能にした。
【考案の効果】
【００１０】上述のように本考案の車両用健康空気清浄装置は、清浄装置を本体ケースで覆わないため薬剤容器および防塵ネットが視認でき、薬剤の交換および防塵用ネットの清掃が容易に実施できる。またＤＣファンモータの吸気、排気機能を妨げずに、車内空間にフィトンチッド等の揮発成分を効率的に拡散させ除菌、抗菌、防虫、消臭分解を行い、また夜間はＬＥＤ発光装置を備えたＤＣファンモータ装置を使用すれば清浄装置をイルミネーションランプとして意匠性の向上が得られる。また動力電源はシガーライタから直接得られるので、配線設置作業が車室の形状にかかわらず使用者が容易に実施できる利点を有している。
【考案を実施するための最良の形態】
【００１１】  以下、本考案の実施の形態を、図１〜図２に基づいて説明する。【００１２】  図１及び図２において、排気吹出し板１はアクリル製であり気体の排出用に排気口１ａが開口してある。また通しボルト２の頭部を格納する溝３が切られている、排気吹出し板１には意匠性を高めるためＬＥＤの発光を妨げない透過性インテリアデザインシート４が排気口１ａを開口４ａして貼ってある。【００１３】  この排気吹出し板１の下部には金属製のファン防護ネット５がありファンモータＤへの異物の混入を防いでいる、直下に吸気、排気機能を有したＤＣファンモータ装置７が配設されている。ＬＥＤ発光装置６の光が点燈して清浄装置を夜間イルミネーションランプとして活用が可能で意匠性の向上を高める。【００１４】  ＤＣファンモータ装置７の電源コードはソケット８の形状でシガーライタケーブルソケット９と簡単に接続され電源の供給を直接得ることができる。【００１５】  また金属製防塵用ネット１０をＤＣファンモータ装置７の直下に配設するため吸気Ｂ機能により車内を浮遊する塵埃を集積する効果が得られる。【００１６】  薬剤容器１１は上部に薬剤揮発成分Ｃを放出する穴１２が開いている蓋付の透過ブラスチックで形成されフィトンチッド等の薬剤１３の消耗が視認できる。薬剤容器１１の底部には両面テープ１４が貼られ薬剤容器固定台１５とは軽度に粘着されているので交換が容易に実施できる。【００１７】  また防塵用ネット１０と薬剤容器固定台１５の間には薬剤容器１１の視認と防塵用ネット１０の清掃作業及びＤＣファンモータ装置７の吸気Ｂを減衰させないためスペーサ１８が配設され空間を確保している。【００１８】  図１および図２のように薬剤容器１１と両面テープ１４を除く個々のパーツは通しボルト２とナット１６をビス止めゴムクッショッンパッド１７内に格納して薬剤容器固定台１５に組立固定され清浄装置本体を形成する。【００１９】  ビス止めゴムクッショッンパッド１７を用いることで設置面１９との安定化が図られ設置面１９を損傷することなく清浄装置の取外しができ、小型軽量構造なので車室の形状に合わせて使用者が設置場所の選択を自由に決めることができる。【００２０】  以上のように、本実施形態によれば市販のＤＣファンモータ装置を用いても吸気、排気効率が損なわれず清浄装置が小型軽量になり、車室の形状にかかわらず容易に設置配線及び移動ができ、また煩わしい薬剤容器の交換、防塵ネットの清掃も簡単に実施できることで常に健康的な車内空間を維持することができる。ＬＥＤ発光装置付のＤＣファンモータ装置を用いれば、夜間はイルミネーションランプとしての意匠性の向上も可能で、清浄装置を安価に提供できる。
【図面の簡単な説明】
【００２１】
【図１】  本考案の実施形態を示す車両用健康空気清浄装置の平面図である。
【図２】  同車両用健康空気清浄装置の各部位の構成を示す斜視図である。
【符号の説明】
【００２２】    １  排気吹出し板
１ａ  排気口
２  通しボルト
３  ボルト頭部格納溝
４  インテリアデザインシート
４ａ  インテリアデザインシート開口部
５  金属製ファン防護ネット
６  ＬＥＤ発光装置
７  ＤＣファンモータ装置
８  ＤＣファン電源コードソケット
９  シガーライタケーブルソケット
１０  金属製防塵ネット
１１  透過性蓋付きプラスチック薬剤容器
１２  薬剤放出穴
１３  薬剤
１４  両面テープ
１５  薬剤容器固定台
１６  ナット
１７  ビス止めゴムクッショッンパッド
１８  スペーサ
１９  設置面
Ａ  排気              Ｂ  吸気
Ｃ  薬剤揮発成分      Ｄ  ファンモータ
【図１】
0003120431.tif 000003
【図２】
0003120431.tif 000004